(57)【要約】【課題】  監視制御機能を低下させずに非線形光学効果を抑制することができる伝送システム、伝送装置、及び伝送方法を提供する。【解決手段】  伝送システムは、主信号光を伝送路に送信する第１伝送装置と、主信号光を受信する第２伝送装置とを有し、第１伝送装置は、監視信号光を出力する出力部と、監視信号光を減衰させる減衰部と、監視信号光を主信号光に合波する合波部と、減衰部の減衰量を制御する制御部とを有し、第２伝送装置は、主信号光及び監視信号光を分波する分波部と、監視信号光のパワーを検出する第１検出部と、監視信号光を受信する受信部と、第１検出部が検出した監視信号光のパワーを第１伝送装置に通知する通知部とを有し、制御部は、通知された監視信号光のパワーが目標値に近づくように減衰部の減衰量を制御する。【選択図】図１
2020053858.tif 000002
【特許請求の範囲】
【請求項１】
主信号光を伝送路に送信する第１伝送装置と、
前記第１伝送装置から前記伝送路を介して前記主信号光を受信する第２伝送装置とを有し、
前記第１伝送装置は、
前記第１伝送装置及び前記第２伝送装置の監視制御に関する情報を含む監視信号光を出力する出力部と、
前記監視信号光を減衰させる減衰部と、
前記監視信号光を前記主信号光に合波する合波部と、
前記減衰部の減衰量を制御する制御部とを有し、
前記第２伝送装置は、
前記伝送路から入力された前記主信号光及び前記監視信号光を分波する分波部と、
前記監視信号光のパワーを検出する第１検出部と、
前記監視信号光を受信する受信部と、
前記第１検出部が検出した前記監視信号光のパワーを前記第１伝送装置に通知する通知部とを有し、
前記制御部は、前記通知部から通知された前記監視信号光のパワーが所定の目標値に近づくように前記減衰部の減衰量を制御することを特徴とする伝送システム。
【請求項２】
前記制御部は、前記通知部から通知された前記監視信号光のパワーが、前記受信部により受信することが可能な光のパワーの最小値に近づくように前記減衰部の減衰量を制御することを特徴とする請求項１に記載の伝送システム。
【請求項３】
前記制御部は、前記通知部から通知された前記監視信号光のパワーが、前記受信部の受光特性の仕様の範囲内で受信することが可能な光のパワーの最小値に近づくように前記減衰部の減衰量を制御することを特徴とする請求項１に記載の伝送システム。
【請求項４】
前記減衰部は、前記合波部に入力される前記監視信号光を減衰させることを特徴とする請求項１乃至３の何れかに記載の伝送システム。
【請求項５】
前記制御部は、前記通知部から通知された前記監視信号光のパワーと前記目標値の差分が第１閾値以下である場合、または前記減衰量と前記減衰量の上限値の差分が第２閾値以下である場合、前記減衰部の減衰量の制御を停止することを特徴とする請求項４に記載の伝送システム。
【請求項６】
前記減衰部は、前記合波部から出力された前記監視信号光及び前記主信号光を減衰させることを特徴とする請求項１乃至３の何れかに記載の伝送システム。
【請求項７】
前記第２伝送装置は、前記主信号光のパワーを検出する第２検出部を有し、
前記通知部は、前記第１検出部が検出した前記監視信号光のパワーと、前記第２検出部が検出した前記主信号光のパワーとを前記第１伝送装置に通知し、
前記制御部は、前記通知部から通知された前記監視信号光のパワーと前記目標値の差分が第１閾値以下である場合、前記減衰量と前記減衰量の上限値の差分が第２閾値以下である場合、または前記通知部から通知された前記主信号光のパワーと前記主信号光のパワーの下限値の差分が第３閾値以下である場合、前記減衰部の減衰量の制御を停止することを特徴とする請求項６に記載の伝送システム。
【請求項８】
主信号光を、伝送路を介して他の伝送装置に伝送する伝送装置において、
前記伝送装置及び前記他の伝送装置の監視制御に関する情報を含む監視信号光を出力する出力部と、
前記監視信号光を減衰させる減衰部と、
前記監視信号光を前記主信号光に合波する合波部と、
前記他の伝送装置が受信した前記監視信号光のパワーが所定の目標値に近づくように前記減衰部の減衰量を制御する制御部とを有することを特徴とする伝送装置。
【請求項９】
第１伝送装置から伝送路を介して第２伝送装置に主信号光を伝送する伝送方法において、
前記第１伝送装置は、
前記第１伝送装置及び前記第２伝送装置の監視制御に関する情報を含む監視信号光を出力し、
前記監視信号光を減衰部により減衰させ、
前記監視信号光を前記主信号光に合波し、
前記第２伝送装置は、
前記伝送路から入力された前記主信号光及び前記監視信号光を分波し、
前記監視信号光のパワーを第１検出部により検出し、
前記監視信号光を受信部により受信し、
前記第１検出部が検出した前記監視信号光のパワーを前記第１伝送装置に通知し、
前記第１伝送装置は、前記第２伝送装置から通知された前記監視信号光のパワーが所定の目標値に近づくように前記減衰部の減衰量を制御することを特徴とする伝送方法。
【発明の詳細な説明】
【技術分野】
【０００１】
本件は、伝送システム、伝送装置、及び伝送方法に関する。
【背景技術】
【０００２】
例えば、複数の波長光が波長多重された主信号光に伝送システムの監視信号光が合波されて伝送される場合、受信側の光伝送装置において監視信号光が確実に受信されるように、送信側の伝送装置には主信号光の増幅手段から独立した監視信号光の増幅手段が設けられる（例えば特許文献１参照）。
【先行技術文献】
【特許文献】
【０００３】
【特許文献１】特開２００９−１５９２９０号公報
【発明の概要】
【発明が解決しようとする課題】
【０００４】
上記の場合、監視信号光の送信パワーが増幅により高くなると、伝送路中で主信号光と監視信号光に相互位相変調などの非線形光学効果が生じることにより主信号光の伝送品質が低下するおそれがある。これに対し監視信号光のパワーを低下させれば非線形光学効果を抑制し得るが、監視信号光のパワーが不足することにより監視信号光が正常に受信されず、伝送装置の監視制御機能が低下するおそれがある。
【０００５】
そこで本件は、監視制御機能を低下させずに非線形光学効果を抑制することができる伝送システム、伝送装置、及び伝送方法を提供することを目的とする。
【課題を解決するための手段】
【０００６】
１つの態様では、伝送システムは、主信号光を伝送路に送信する第１伝送装置と、前記第１伝送装置から前記伝送路を介して前記主信号光を受信する第２伝送装置とを有し、前記第１伝送装置は、前記第１伝送装置及び前記第２伝送装置の監視制御に関する情報を含む監視信号光を出力する出力部と、前記監視信号光を減衰させる減衰部と、前記監視信号光を前記主信号光に合波する合波部と、前記減衰部の減衰量を制御する制御部とを有し、前記第２伝送装置は、前記伝送路から入力された前記主信号光及び前記監視信号光を分波する分波部と、前記監視信号光のパワーを検出する第１検出部と、前記監視信号光を受信する受信部と、前記第１検出部が検出した前記監視信号光のパワーを前記第１伝送装置に通知する通知部とを有し、前記制御部は、前記通知部から通知された前記監視信号光のパワーが所定の目標値に近づくように前記減衰部の減衰量を制御する。
【０００７】
１つの態様では、伝送装置は、主信号光を、伝送路を介して他の伝送装置に伝送する伝送装置において、前記伝送装置及び前記他の伝送装置の監視制御に関する情報を含む監視信号光を出力する出力部と、前記監視信号光を前記主信号光に合波する合波部と、前記他の伝送装置が受信した前記監視信号光のパワーが所定の目標値に近づくように前記減衰部の減衰量を制御する制御部とを有する。
【０００８】
１つの態様では、伝送方法は、第１伝送装置から伝送路を介して第２伝送装置に主信号光を伝送する伝送方法において、前記第１伝送装置は、前記第１伝送装置及び前記第２伝送装置の監視制御に関する情報を含む監視信号光を出力し、前記監視信号光を減衰部により減衰させ、前記監視信号光を前記主信号光に合波し、前記第２伝送装置は、前記伝送路から入力された前記主信号光及び前記監視信号光を分波し、前記監視信号光のパワーを第１検出部により検出し、前記監視信号光を受信部により受信し、前記第１検出部が検出した前記監視信号光のパワーを前記第１伝送装置に通知し、前記第１伝送装置は、前記第２伝送装置から通知された前記監視信号光のパワーが所定の目標値に近づくように前記減衰部の減衰量を制御する方法である。
【発明の効果】
【０００９】
１つの側面として、伝送装置の監視制御機能を低下させずに非線形光学効果を抑制することができる。
【図面の簡単な説明】
【００１０】
【図１】第１実施例の伝送システムを示す構成図である。
【図２】受信側の伝送装置における監視信号光の処理の一例を示すフローチャートである。
【図３】送信側の伝送装置における監視信号光の送信処理の一例を示すフローチャートである。
【図４】送信側の伝送装置における減衰量の制御処理の一例を示すフローチャートである。
【図５】第２実施例の伝送システムを示す構成図である。
【図６】受信側の伝送装置における監視信号光及び主信号光の処理の一例を示すフローチャートである。
【図７】送信側の伝送装置における監視信号光及び主信号光の送信処理の一例を示すフローチャートである。
【図８】送信側の伝送装置における減衰量の制御処理の他の例を示すフローチャートである。
【発明を実施するための形態】
【００１１】
（第１実施例）
図１は、第１実施例の伝送システムを示す構成図である。伝送システムは、光ファイバなどの伝送路９０，９１を介して接続された一組の伝送装置１ａ，１ｂを有する。
【００１２】
伝送装置１ａ，１ｂは、例えばＲＯＡＤＭ（Reconfigurable Optical Add-and-Drop Multiplexer）などの波長多重伝送装置である。伝送装置１ａ，１ｂは、波長が相違する複数の波長光を波長多重した主信号光Ｓｍ，Ｓｍ’を他方の伝送装置１ｂ，１ａに伝送する。後述の例では伝送装置１ａから伝送路９０を介して伝送装置１ｂに主信号光Ｓｍを伝送する処理を挙げるが、伝送装置１ｂから伝送路９１を介して伝送装置１ａに主信号光Ｓｍ’を伝送する処理もこれと同様に行われる。
【００１３】
伝送装置１ａは、第１伝送装置の一例であり、主信号光Ｓｍを伝送路９０に送信する。主信号光Ｓｍには、イーサネット（登録商標、以下同様）フレームなどのユーザデータを含む複数の波長光が波長多重されている。伝送装置１ｂは、第２伝送装置の一例であり、伝送装置１ａから伝送路９０を介して主信号光Ｓｍ’を受信する。符号Ｒａは、伝送装置１ａから伝送装置１ｂに伝送される主信号光Ｓｍの経路を示し、符号Ｒｄは、伝送装置１ｂから伝送装置１ａに伝送される主信号光Ｓｍ’の経路を示す。
【００１４】
また、伝送装置１ａ，１ｂは、伝送装置１ａ，１ｂの監視制御に関する情報（警報など。以下、「監視制御情報」と表記。）を含む監視信号光Ｓｃを主信号光Ｓｍ，Ｓｍ’に合波して他方の伝送装置１ｂ，１ａに伝送する。監視信号光Ｓｃ，Ｓｃ’は、主信号光Ｓｍ，Ｓｍ’に含まれる波長光の波長帯とは所定の波長帯域分だけ離れた波長を有する。符号Ｒｂは、伝送装置１ａから伝送装置１ｂに伝送される監視信号光Ｓｃの経路を示し、符号Ｒｃは、伝送装置１ｂから伝送装置１ａに伝送される監視信号光Ｓｃ’の経路を示す。
【００１５】
監視信号光Ｓｃの送信パワーが強すぎると、伝送路９０中で主信号光Ｓｍと監視信号光Ｓｃに相互位相変調などの非線形光学効果が生じることにより主信号光Ｓｍの伝送品質が低下するおそれがある。
【００１６】
そこで、伝送装置１ａは、他方の伝送装置１ｂが受信した監視信号光Ｓｃのパワーが所定の目標値に近づくようにＶＯＡ２１ａの減衰量を制御する。このため、伝送装置１ａは、目標値を適切に設定することにより、監視信号光Ｓｃの伝送品質の要求を満たしつつ、監視信号光Ｓｃの送信パワーを低下させることができる。したがって、伝送装置１ａは、監視制御機能を低下させずに非線形光学効果を抑制することができる。以下に伝送装置１ａ，１ｂの構成を述べる。
【００１７】
伝送装置１ａは、ＦＰＧＡ（Field Programmable Gate Array）１０ａと、メモリ１２ａと、ＳＦＰ（Small Form-factor Pluggable）２０ａと、光アンプ３０ａ，３１ａと、可変光減衰器（VOA: Variable Optical Attenuator）２１ａ，３２ａとを有する。伝送装置１ａは、さらに光スプリッタ２２ａ，２３ａと、フィルタ３３ａ，３４ａと、ＰＤ（Photo Diode）２４ａ，２５ａとを有する。また、伝送装置１ｂは、伝送装置１ａと同様に、ＦＰＧＡ１０ｂと、メモリ１２ｂと、ＳＦＰ２０ｂと、光アンプ３０ｂ，３１ｂと、ＶＯＡ２１ｂ，３２ｂと、光スプリッタ２２ｂ，２３ｂと、フィルタ３３ｂ，３４ｂと、ＰＤ２４ｂ，２５ｂとを有する。
【００１８】
光アンプ３０ａ，３０ｂは、隣接ノードから入力された主信号光Ｓｍ，Ｓｍ’をそれぞれ増幅する。ＦＰＧＡ１０ａ，１０ｂは光アンプ３０ａ，３０ｂの利得をそれぞれ制御する。主信号光Ｓｍは光アンプ３０ａからＶＯＡ３２ａに入力され、主信号光Ｓｍ’は光アンプ３０ｂからＶＯＡ３２ｂに入力される。ＶＯＡ３２ａ，３２ｂは主信号光Ｓｍ，Ｓｍ’をそれぞれ減衰させる。ＦＰＧＡ１０ａ，１０ｂはＶＯＡ３２ａ，３２ｂの減衰量をそれぞれ制御する。主信号光ＳｍはＶＯＡ３２ａからフィルタ３３ａに入力され、主信号光Ｓｍ’はＶＯＡ３２ｂからフィルタ３３ｂに入力される。
【００１９】
ＳＦＰ２０ａ，２０ｂは、それぞれ、伝送装置１ａ，１ｂに着脱自在な光モジュールである。ＳＦＰ２０ａ，２０ｂは監視信号光Ｓｃ，Ｓｃ’をそれぞれ送受信する。本例において、伝送装置１ａのＳＦＰ２０ａは、出力部の一例であり、監視信号光Ｓｃを出力する。また、伝送装置１ｂのＳＦＰ２０ｂは、受信部の一例であり、監視信号光Ｓｃを受信する。
【００２０】
監視信号光ＳｃはＳＦＰ２０ａからＶＯＡ２１ａに入力される。ＶＯＡ２１ａは、減衰部の一例であり、監視信号光Ｓｃを減衰させる。ＦＰＧＡ１０ａは、制御部の一例であり、ＶＯＡ２１ａの減衰量を制御する。監視信号光ＳｃはＶＯＡ２１ａから光スプリッタ２２ａを通ってフィルタ３３ａに入力される。
【００２１】
また、監視信号光Ｓｃ’はＳＦＰ２０ｂからＶＯＡ２１ｂに入力される。ＶＯＡ２１ｂは監視信号光Ｓｃ’を減衰させる。ＦＰＧＡ１０ｂはＶＯＡ２１ｂの減衰量を制御する。監視信号光Ｓｃ’はＶＯＡ２１ｂから光スプリッタ２２ｂを通ってフィルタ３３ｂに入力される。
【００２２】
光スプリッタ２２ａ，２２ｂは、監視信号光Ｓｃ，Ｓｃ’を分岐させてフィルタ３３ａ，３３ｂとＰＤ２４ａ，２４ｂに導く。ＰＤ２４ａ，２４ｂは、監視信号光Ｓｃ，Ｓｃ’を光−電気変換することによりそのパワーを検出する。ＦＰＧＡ１０ａ，１０ｂは、例えばＰＤ２４ａ，２４ｂが検出したパワーに基づき監視信号光Ｓｃ，Ｓｃ’の送信状態を監視する。
【００２３】
フィルタ３３ａは、合波部の一例であり、監視信号光Ｓｃを主信号光Ｓｍに合波する。フィルタ３３ｂは、監視信号光Ｓｃ’を主信号光Ｓｍ’に合波する。フィルタ３３ａ，３３ｂとしては、例えば波長多重機能を備えるフィルタが挙げられるが、これに限定されない。監視信号光Ｓｃ及び主信号光Ｓｍの合波光はフィルタ３３ａから伝送路９０に出力され、監視信号光Ｓｃ’及び主信号光Ｓｍ’の合波光はフィルタ３３ｂから伝送路９１に出力される。
【００２４】
監視信号光Ｓｃ及び主信号光Ｓｍの合波光は、伝送路９０からフィルタ３４ｂに入力される。フィルタ３４ｂは、分波部の一例であり、伝送路９０から入力された合波光から主信号光Ｓｍ及び監視信号光Ｓｃを分波する。
【００２５】
また、監視信号光Ｓｃ’及び主信号光Ｓｍ’の合波光は伝送路９１からフィルタ３４ａに入力される。フィルタ３４ａは伝送路９１から入力された合波光から主信号光及び監視信号光Ｓｃ’を分波する。
【００２６】
主信号光Ｓｍ，Ｓｍ’はフィルタ３４ａ，３４ｂから光アンプ３１ａ，３１ｂにそれぞれ入力される。光アンプ３１ａ，３１ｂは主信号光Ｓｍをそれぞれ増幅する。ＦＰＧＡ１０ａ，１０ｂは光アンプ３１ａ，３１ｂの利得をそれぞれ制御する。主信号光Ｓｍ，Ｓｍ’は光アンプ３１ａ，３１ｂから隣接ノードにそれぞれ出力される。
【００２７】
監視信号光Ｓｃはフィルタ３４ｂから光スプリッタ２３ｂに入力され、監視信号光Ｓｃ’はフィルタ３４ａから光スプリッタ２３ａに入力される。光スプリッタ２３ｂは、監視信号光Ｓｃを分岐させてＳＦＰ２０ｂとＰＤ２５ｂに導き、光スプリッタ２３ａは、監視信号光Ｓｃ’を分岐させてＳＦＰ２０ａとＰＤ２５ａに導く。
【００２８】
ＳＦＰ２０ａ，２０ｂは、監視信号光Ｓｃ，Ｓｃ’を受信してＦＰＧＡ１０ａ，１０ｂにそれぞれ出力する。ＦＰＧＡ１０ａ，１０ｂは監視信号光Ｓｃのペイロードデータから監視制御情報を抽出する。ＦＰＧＡ１０ａは、例えば監視制御情報に基づき光アンプ３０ａ，３１ａの利得やＶＯＡ２１ａ，３２ａの減衰量を制御する。ＦＰＧＡ１０ｂは、例えば監視制御情報に基づき光アンプ３０ｂ，３１ｂの利得やＶＯＡ２１ｂ，３２ｂの減衰量を制御する。
【００２９】
ＰＤ２５ｂは、第１検出部の一例であり、監視信号光Ｓｃを光−電気変換することによりそのパワーを検出する。監視信号光Ｓｃのパワーの情報（以下、「パワー情報」と表記）はＰＤ２５ｂからＦＰＧＡ１０ｂに入力される。ＦＰＧＡ１０ｂは、パワー情報を監視信号のペイロードデータに挿入してＳＦＰ２０ａ，２０ｂに出力する。また、ＰＤ２５ａは、監視信号光Ｓｃ’を光−電気変換することによりそのパワーを検出してＦＰＧＡ１０ａに通知する。
【００３０】
ＳＦＰ２０ｂは監視信号を電気−光変換することにより監視信号光Ｓｃ’を生成して出力する。これにより、パワー情報は、監視信号光Ｓｃを受信した受信側の伝送装置１ｂから、監視信号光Ｓｃを送信した送信側の伝送装置１ａに通知される。なお、受信側の伝送装置１ｂのＦＰＧＡ１０ｂは、ＰＤ２５ｂが検出した監視信号光Ｓｃのパワーを送信側の伝送装置１ａに通知する通知部の一例である。
【００３１】
送信側の伝送装置１ａのＳＦＰ２０ａは、受信側の伝送装置１ｂから監視信号光Ｓｃ’を受信する。ＳＦＰ２０ａは、監視信号光Ｓｃ’を光−電気変換することにより監視信号を再生してＦＰＧＡ１０ａに出力する。ＦＰＧＡ１０ａは、監視信号のペイロードデータからパワー情報を抽出する。
【００３２】
ＦＰＧＡ１０ａは、パワー情報に基づきＶＯＡ２１ａの減衰量を制御する。これにより、監視信号光ＳｃがＶＯＡ２１ａにより適切な減衰量で減衰する。
【００３３】
また、メモリ１２ａ，１２ｂにはＦＰＧＡ１０ａ，１０ｂの処理に用いられる各種のパラメータなどがそれぞれ記憶される。ＦＰＧＡ１０ａ，１０ｂは、それぞれ、メモリ１２ａ，１２ｂに情報を書き込み、メモリ１２ａ，１２ｂから情報を読み出す。
【００３４】
例えば監視信号光Ｓｃは、経路Ｒｂに沿って送信側の伝送装置１ａから受信側の伝送装置１ｂに送信される。受信側の伝送装置１ｂは、送信側の伝送装置１ａから受信した監視信号光ＳｃのパワーをＰＤ２５ｂにより検出して、ＦＰＧＡ１０ｂによりパワー情報を経路Ｒｃに沿って送信側の伝送装置１ａに通知する。送信側の伝送装置１ａは、通知されたパワー情報に基づきＶＯＡ２１ａの減衰量をＦＰＧＡ１０ａにより制御する。この場合の伝送装置１ａ，１ｂの動作を以下に述べる。
【００３５】
図２は、受信側の伝送装置１ｂにおける監視信号光Ｓｃの処理の一例を示すフローチャートである。図２において、ステップＳｔ２の処理と、ステップＳｔ３，Ｓｔ４の各処理とは同時並行で行われる。なお、本処理は繰り返し実行される。
【００３６】
フィルタ３４ｂは、送信側の伝送装置１ａから伝送路９０を介して入力された合波光から主信号光Ｓｍと監視信号光Ｓｃを分波する（ステップＳｔ１）。ＳＦＰ２０ｂは、分波された監視信号光Ｓｃを受信する（ステップＳｔ２）。なお、主信号光Ｓｍは光アンプ３１ｂに入力されて増幅される。
【００３７】
また、ＰＤ２５ｂは、分波された監視信号光Ｓｃのパワーを検出する（ステップＳｔ３）。次にＦＰＧＡ１０ｂは、パワー情報を反対方向の監視信号光Ｓｃ’のペイロードデータに挿入して送信側の伝送装置１ａに通知する（ステップＳｔ４）。このようにして、受信側の伝送装置１ｂは監視信号光Ｓｃ及び主信号光Ｓｍを処理する。
【００３８】
図３は、送信側の伝送装置１ａにおける監視信号光Ｓｃの送信処理の一例を示すフローチャートである。なお、本処理は繰り返し実行される。
【００３９】
送信側の伝送装置１ａのＳＦＰ２０ａは監視信号光Ｓｃを出力する（ステップＳｔ１１）。次にＶＯＡ２１ａは、ＦＰＧＡ１０ａから設定された減衰量で監視信号光Ｓｃを減衰させる（ステップＳｔ１２）。
【００４０】
次にフィルタ３３ａは主信号光Ｓｍと監視信号光Ｓｃを合波する（ステップＳｔ１３）。このとき、合波光は伝送路９０に出力される。このようにして、送信側の伝送装置１ａは監視信号光Ｓｃの送信処理を実行する。
【００４１】
図４は、送信側の伝送装置１ａにおける減衰量の制御処理の一例を示すフローチャートである。なお、本処理に先立ってＶＯＡ２１ａの減衰量は下限値に設定されている。
【００４２】
送信側の伝送装置１ａにおいて、ＦＰＧＡ１０ａは、受信側の伝送装置１ｂのＰＤ２５ｂで検出された監視信号光ＳｃのパワーＰｃを、ＳＦＰ２０ａで受信した監視信号光Ｓｃ’のペイロードデータからパワー情報として取得する（ステップＳｔ２１）。
【００４３】
次にＦＰＧＡ１０ａは、ＶＯＡ２１ａの現在の減衰量とＶＯＡ２１ａの減衰量の上限値Ａｍの差分を閾値ＴＨａと比較する（ステップＳｔ２２）。ここで、上限値Ａｍは伝送装置１ａのＶＯＡ２１ａの減衰性能に従って決定される。また、現在の減衰量は例えばメモリ１２ａに記憶されている。
【００４４】
ＦＰＧＡ１０ａは、減衰量と上限値Ａｍの差分が閾値ＴＨａ以下である場合（ステップＳｔ２２のＹｅｓ）、伝送装置１ａのＶＯＡ２１ａの減衰量を現在の設定値より大きくすることができないと判断して制御処理を終了する。なお、閾値ＴＨａは、第２閾値の一例であり、減衰量が実質的に上限値Ａｍに等しいとみなせる程度に十分に小さい値である。
【００４５】
ＦＰＧＡ１０ａは、減衰量と上限値Ａｍの差分が閾値ＴＨａより大きい場合（ステップＳｔ２２のＮｏ）、監視信号光ＳｃのパワーＰｃと受信側の伝送装置１ｂのＳＦＰ２０ｂの最小受信パワーＰｃｏの差分を閾値ＴＨｃと比較する（ステップＳｔ２３）。最小受信パワーＰｃｏは監視信号光ＳｃのパワーＰｃの目標値の一例である。
【００４６】
ＦＰＧＡ１０ａは、パワーＰｃと最小受信パワーＰｃｏの差分が閾値ＴＨｃ以下である場合（ステップＳｔ２３のＹｅｓ）、パワーＰｃが実質的に最小受信パワーＰｃｏと等しいと判断して制御処理を終了する。なお、閾値ＴＨｃは、第１閾値の一例であり、パワーＰｃが実質的に最小受信パワーＰｃｏと等しいとみなせる程度に十分に小さい値である。
【００４７】
また、ＦＰＧＡ１０ａは、パワーＰｃと最小受信パワーＰｃｏの差分が閾値ＴＨｃより大きい場合（ステップＳｔ２３のＮｏ）、ＶＯＡ２１ａの減衰量にΔＡを加算する（ステップＳｔ２４）。このとき、ＦＰＧＡ１０ａは、ＶＯＡ２１ａにΔＡだけ増加した減衰量を設定する。このため、送信側の伝送装置１ａから送信される監視信号光Ｓｃのパワー（送信パワー）は、減衰量の増加分のΔＡに応じて減少する。
【００４８】
その後、ステップＳｔ２１以降の各処理が再び実行される。これにより、減衰量はステップＳｔ２４の処理が実行されるたびにΔＡだけ増加するため、監視信号光Ｓｃのパワーは徐々に減少して目標値の最小受信パワーＰｃｏに近づく。このようにして、減衰量の制御処理は実行される。
【００４９】
このように、送信側の伝送装置１ａのＦＰＧＡ１０ａは、受信側の伝送装置１ｂのＦＰＧＡ１０ｂから通知された監視信号光ＳｃのパワーＰｃが、所定の最小受信パワーＰｃｏに近づくようにＶＯＡ２１ａの減衰量を制御する。このため、伝送装置１ａは、最小受信パワーＰｃｏを、監視信号光Ｓｃの伝送品質の要求を満たす範囲内で十分に小さい値に設定することにより、監視制御機能を低下させずに非線形光学効果を抑制することができる。
【００５０】
最小受信パワーＰｃｏは、例えばＳＦＰ２０ｂにより受信することが可能な光のパワーの最小値に設定される。したがって、伝送装置１ａは、受信側の伝送装置１ｂのＳＦＰ２０ｂが受信する監視信号光ＳｃのパワーＰｃを限界まで低下させることができるため、非線形光学効果をより効果的に抑制することができる。
【００５１】
また、最小受信パワーＰｃｏは、例えばＳＦＰ２０ｂの受光特性の仕様の範囲内で受信することが可能な光のパワーの最小値に設定される。この最小値としては、例えばＳＦＰ２０ｂの受光特性の仕様に規定される最小受信感度が挙げられる。最小受信感度は、伝送システムに要求される伝送品質を達成するために必要な受信パワーの最小値であって、市場においてＳＦＰ２０ｂの受信性能を製品の型番ごとに示すパラメータの１つである。
【００５２】
伝送品質の指標値としては、例えばビットエラーレートが挙げられ、最小受信感度は、一例として監視信号光Ｓｃのビットエラーレートが、伝送システムに要求される規定値以下となる条件を満たす受信パワーの最小値として規定される。
【００５３】
したがって、伝送装置１ｂは、最小受光感度を目標値としてＶＯＡ２１ａの減衰量を制御することにより、ＳＦＰ２０ｂの受光特性の仕様に基づいて監視信号光Ｓｃの伝送品質をより確実に保証することができる。なお、最小受信パワーＰｃｏは、予めメモリ１２ａに記憶されている。
【００５４】
また、ＦＰＧＡ１０ａは、監視信号光ＳｃのパワーＰｃと受信側の伝送装置１ｂのＳＦＰ２０ｂの最小受信パワーＰｃｏの差分が閾値ＴＨｃ以下である場合、またはＶＯＡ２１ａの減衰量と上限値Ａｍの差分が閾値ＴＨａ以下である場合、減衰量の制御を停止する。
【００５５】
このため、ＦＰＧＡ１０ａは、監視信号光ＳｃのパワーＰｃが最小受信パワーＰｃｏに達するより先に、減衰量が上限値Ａｍに達した場合、減衰量の制御を停止することができる。したがって、ＦＰＧＡ１０ａは誤って上限値Ａｍを超える減衰量をＶＯＡ２１ａに設定することがない。
【００５６】
また、ＶＯＡ２１ａは、フィルタ３３ａに入力される監視信号光Ｓｃを減衰させる。このため、ＶＯＡ２１ａは、監視信号光Ｓｃ及び主信号光Ｓｍのうち、監視信号光Ｓｃだけを減衰させる。したがって、監視信号光Ｓｃの減衰による主信号光Ｓｍのパワーへの影響が抑制される。
【００５７】
（第２実施例）
ＶＯＡ２１ａは、上記のように監視信号光Ｓｃだけを減衰させるが、以下のように監視信号光Ｓｃ及び主信号光Ｓｍを減衰させてもよい。
【００５８】
図５は、第２実施例の伝送システムを示す構成図である。図５において、図１と共通する構成には同一の符号を付し、その説明は省略する。
【００５９】
伝送装置１ａは、第１実施例のＶＯＡ２１ａ及びＶＯＡ３２ａに代え、フィルタ３３ａと伝送路９０の間にＶＯＡ２６ａを有する。また、伝送装置１ｂは、第１実施例のＶＯＡ２１ｂ及びＶＯＡ３２ｂに代え、フィルタ３３ｂと伝送路９１の間にＶＯＡ２６ｂを有する。ＶＯＡ２６ａは、フィルタ３３ａから出力された監視信号光Ｓｃ及び主信号光Ｓｍを減衰させる。ＶＯＡ２６ｂは、フィルタ３３ｂから出力された監視信号光Ｓｃ’及び主信号光Ｓｍ’を減衰させる。なお、ＶＯＡ２６ａは減衰部の一例である。
【００６０】
伝送装置１ａは、監視信号光Ｓｃ及び主信号光Ｓｍを１個のＶＯＡ２６ａにより減衰するため、第１実施例のような２個のＶＯＡ２１ａ，３２ａを必要としない。このため、伝送装置１ａのコストや規模が低減される。なお、伝送装置１ｂも監視信号光Ｓｃ’及び主信号光Ｓｍ’を１個のＶＯＡ２６ｂにより減衰させるため、コストや規模が低減される。
【００６１】
また、伝送装置１ｂは、伝送路９０から入力された主信号光Ｓｍのパワーを検出するために光スプリッタ３５ｂ及びＰＤ２７ｂを有する。光スプリッタ３５ｂは、フィルタ３４ｂと光アンプ３１ｂの間に設けられている。光スプリッタ３５ｂは、主信号光Ｓｍを分岐させて光アンプ３１ａとＰＤ２７ｂに導く。
【００６２】
ＰＤ２７ｂは主信号光Ｓｍを光−電気変換することにより主信号光Ｓｍのパワーを検出する。主信号光Ｓｍのパワーの情報（パワー情報）はＰＤ２５ｂからＦＰＧＡ１０ｂに通知される。なお、ＰＤ２７ｂは第２検出部の一例である。
【００６３】
ＦＰＧＡ１０ｂは、監視信号光Ｓｃ及び主信号光Ｓｍの各パワー情報を反対方向の監視信号光Ｓｃ’のペイロードデータに挿入してＳＦＰ２０ｂに出力する。これにより、監視信号光Ｓｃ及び主信号光Ｓｍのパワーが受信側の伝送装置１ｂから経路Ｒｃに沿って送信側の伝送装置１ａに通知される。
【００６４】
また、伝送装置１ａは、伝送装置１ｂと同様に、伝送路９１から入力された主信号光Ｓｍ’のパワーを検出するために光スプリッタ３５ａ及びＰＤ２７ａを有する。ＰＤ２７ａは、光スプリッタ３５ａにより分岐された主信号光Ｓｍ’のパワーを検出してＦＰＧＡ１０ａに通知する。
【００６５】
送信側の伝送装置１ａのＦＰＧＡ１０ａは、上記の制御処理において主信号光Ｓｍのパワーがその下限値を下回らないようにＶＯＡ２６ａの減衰量を制御する。
【００６６】
図６は、受信側の伝送装置１ｂにおける監視信号光Ｓｃ及び主信号光Ｓｍの処理の一例を示すフローチャートである。図６において、図２と共通する処理には同一の符号を付し、その説明は省略する。図６において、ステップＳｔ２の処理と、ステップＳｔ３，Ｓｔ４の各処理と、ステップＳｔ５，Ｓｔ６の各処理とは同時並行で行われる。なお、本処理は繰り返し実行される。
【００６７】
フィルタ３４ｂが主信号光Ｓｍと監視信号光Ｓｃを分波した後（ステップＳｔ１）、ＰＤ２７ｂは主信号光Ｓｍのパワーを検出する（ステップＳｔ５）。次にＦＰＧＡ１０ｂは主信号光Ｓｍのパワー情報を送信側の伝送装置１ａに通知する（ステップＳｔ６）。このようにして、受信側の伝送装置１ｂは監視信号光Ｓｃ及び主信号光Ｓｍを処理する。
【００６８】
図７は、送信側の伝送装置１ａにおける監視信号光Ｓｃ及び主信号光Ｓｍの送信処理の一例を示すフローチャートである。なお、本処理は繰り返し実行される。
【００６９】
監視信号光Ｓｃの出力後（ステップＳｔ１１）、フィルタ３３ａは、監視信号光Ｓｃと主信号光Ｓｍを合波する（ステップＳｔ１２ａ）。次に、ＶＯＡ２６ａは、ＦＰＧＡ１０ａから設定された減衰量で監視信号光Ｓｃ及び主信号光Ｓｍを減衰させる（ステップＳｔ１３ａ）。このため、監視信号光Ｓｃ及び主信号光Ｓｍの減衰量は同一である。このようにして、送信側の伝送装置１ａは監視信号光Ｓｃ及び主信号光Ｓｍの送信処理を実行する。
【００７０】
図８は、送信側の伝送装置１ａにおける減衰量の制御処理の他の例を示すフローチャートである。図８において、図４と共通する構成には同一の符号を付し、その説明は省略する。なお、本処理に先立ってＶＯＡ２６ａの減衰量は下限値に設定されている。
【００７１】
ＦＰＧＡ１０ａは、監視信号光ＳｃのパワーＰｃの取得後（ステップＳｔ２１）、パワー情報が示す主信号光ＳｍのパワーＰｓを取得する（ステップＳｔ２１ａ）。なお、ステップＳｔ２１ａの処理は、ステップＳｔ２１の処理より先に実行されてもよい。
【００７２】
次に、ＦＰＧＡ１０ａは、ＶＯＡ２６ａの現在の減衰量についてステップＳｔ２２の判定処理を行う。ＦＰＧＡ１０ａは、上限値Ａｍと減衰量の差分が閾値ＴＨａ以下である場合（ステップＳｔ２２のＹｅｓ）、処理を終了する。
【００７３】
また、ＦＰＧＡ１０ａは、上限値Ａｍと減衰量の差分が閾値ＴＨａより大きい場合（ステップＳｔ２２のＮｏ）、主信号光ＳｍのパワーＰｓとその下限値Ｐｓｏの差分を閾値ＴＨｓと比較する（ステップＳｔ２２ａ）。下限値Ｐｓｏは、例えば主信号光Ｓｍを隣接ノードに伝送するために必要なパワーの最小値であり、隣接ノードまでの伝送路の距離などの条件により決定される。
【００７４】
ＦＰＧＡ１０ａは、パワーＰｓと下限値Ｐｓｏの差分が閾値ＴＨｓ以下である場合（ステップＳｔ２２ａのＹｅｓ）、パワーＰｓが現在の値より小さくなって伝送品質が低下しないように制御処理を終了する。なお、閾値ＴＨｓは、第３閾値の一例であり、パワーＰｓが実質的に下限値Ｐｓｏに等しいとみなせる程度に十分に小さい値である。
【００７５】
ＦＰＧＡ１０ａは、パワーＰｓと下限値Ｐｓｏの差分が閾値ＴＨｓより大きい場合（ステップＳｔ２２ａのＮｏ）、ステップＳｔ２３の判定処理を実行する。また、ＦＰＧＡ１０ａは、ＶＯＡ２６ａの減衰量にΔＡを加算する（ステップＳｔ２４）。このとき、ＦＰＧＡ１０ａは、ＶＯＡ２６ａにΔＡだけ増加した減衰量を設定する。このため、送信側の伝送装置１ａから送信される監視信号光Ｓｃ及び主信号光Ｓｍのパワーは、減衰量の増加分のΔＡに応じて減少する。このようにして、減衰量の制御処理は実行される。
【００７６】
このように、ＦＰＧＡ１０ａは、監視信号光ＳｃのパワーＰｃと受信側の伝送装置１ｂのＳＦＰ２０ｂの最小受信パワーＰｃｏの差分が閾値ＴＨｃ以下である場合、ＶＯＡ２６ａの減衰量と上限値Ａｍの差分が閾値ＴＨａ以下である場合、または主信号光ＳｍのパワーＰｓと下限値Ｐｓｏの差分が閾値ＴＨｓ以下である場合、減衰量の制御を停止する。
【００７７】
このため、ＦＰＧＡ１０ａは、監視信号光ＳｃのパワーＰｃが最小受信パワーＰｃｏに達するより先に、減衰量が上限値Ａｍに達した場合、減衰量の制御を停止することができる。また、ＦＰＧＡ１０ａは、監視信号光ＳｃのパワーＰｃが最小受信パワーＰｃｏに達するより先に、主信号光ＳｍのパワーＰｓが下限値Ｐｓｏに達した場合、減衰量の制御を停止することができる。したがって、主信号光ＳｍのパワーＰｓが下限値Ｐｓｏを下回ることにより伝送品質が低下することが抑制される。
【００７８】
また、上述した各実施例において、主信号光Ｓｍまたは監視信号光Ｓｃのパワー情報は、受信側の伝送装置１ｂから伝送路９１を経由する経路Ｒｃで送信側の伝送装置１ａに通知されたが、これに限定されない。受信側の伝送装置１ｂのＦＰＧＡ１０ｂは、例えば各伝送装置１ａ，１ｂを制御するＮＥ−ＯｐＳ（Network Element Operation System）（不図示）を経由して送信側の伝送装置１ａにパワー情報を通知してもよい。 
【００７９】
また、上述した各実施例において、ＶＯＡ２１ａ，２６ａの減衰量はＦＰＧＡ１０ａにより制御されるが、これに限定されない。例えばＣＰＵ（Central Processing Unit）などのプロセッサがソフトウェアに従って動作することにより減衰量を制御してもよい。
【００８０】
また、上述した各実施例において、伝送装置１ａを送信側とし、伝送装置１ｂを受信側とする例を挙げたが、伝送装置１ｂを送信側とし、伝送装置１ａを受信側とした場合も上記と同様の処理により監視信号光Ｓｃ’のパワーを適切に制御することができる。
【００８１】
上述した実施形態は本発明の好適な実施の例である。但し、これに限定されるものではなく、本発明の要旨を逸脱しない範囲内において種々変形して実施可能である。
【００８２】
なお、以上の説明に関して更に以下の付記を開示する。
（付記１）  主信号光を伝送路に送信する第１伝送装置と、
前記第１伝送装置から前記伝送路を介して前記主信号光を受信する第２伝送装置とを有し、
前記第１伝送装置は、
前記第１伝送装置及び前記第２伝送装置の監視制御に関する情報を含む監視信号光を出力する出力部と、
前記監視信号光を減衰させる減衰部と、
前記監視信号光を前記主信号光に合波する合波部と、
前記減衰部の減衰量を制御する制御部とを有し、
前記第２伝送装置は、
前記伝送路から入力された前記主信号光及び前記監視信号光を分波する分波部と、
前記監視信号光のパワーを検出する第１検出部と、
前記監視信号光を受信する受信部と、
前記第１検出部が検出した前記監視信号光のパワーを前記第１伝送装置に通知する通知部とを有し、
前記制御部は、前記通知部から通知された前記監視信号光のパワーが所定の目標値に近づくように前記減衰部の減衰量を制御することを特徴とする伝送システム。
（付記２）  前記制御部は、前記通知部から通知された前記監視信号光のパワーが、前記受信部により受信することが可能な光のパワーの最小値に近づくように前記減衰部の減衰量を制御することを特徴とする付記１に記載の伝送システム。
（付記３）  前記制御部は、前記通知部から通知された前記監視信号光のパワーが、前記受信部の受光特性の仕様の範囲内で受信することが可能な光のパワーの最小値に近づくように前記減衰部の減衰量を制御することを特徴とする付記１に記載の伝送システム。
（付記４）  前記減衰部は、前記合波部に入力される前記監視信号光を減衰させることを特徴とする付記１乃至３の何れかに記載の伝送システム。
（付記５）  前記制御部は、前記通知部から通知された前記監視信号光のパワーと前記目標値の差分が第１閾値以下である場合、または前記減衰量と前記減衰量の上限値の差分が第２閾値以下である場合、前記減衰部の減衰量の制御を停止することを特徴とする付記４に記載の伝送システム。
（付記６）  前記減衰部は、前記合波部から出力された前記監視信号光及び前記主信号光を減衰させることを特徴とする付記１乃至３の何れかに記載の伝送システム。
（付記７）  前記第２伝送装置は、前記主信号光のパワーを検出する第２検出部を有し、
前記通知部は、前記第１検出部が検出した前記監視信号光のパワーと、前記第２検出部が検出した前記主信号光のパワーとを前記第１伝送装置に通知し、
前記制御部は、前記通知部から通知された前記監視信号光のパワーと前記目標値の差分が第１閾値以下である場合、前記減衰量と前記減衰量の上限値の差分が第２閾値以下である場合、または前記通知部から通知された前記主信号光のパワーと前記主信号光のパワーの下限値の差分が第３閾値以下である場合、前記減衰部の減衰量の制御を停止することを特徴とする付記６に記載の伝送システム。
（付記８）  主信号光を、伝送路を介して他の伝送装置に伝送する伝送装置において、
前記伝送装置及び前記他の伝送装置の監視制御に関する情報を含む監視信号光を出力する出力部と、
前記監視信号光を減衰させる減衰部と、
前記監視信号光を前記主信号光に合波する合波部と、
前記他の伝送装置が受信した前記監視信号光のパワーが所定の目標値に近づくように前記減衰部の減衰量を制御する制御部とを有することを特徴とする伝送装置。
（付記９）  前記制御部は、前記他の伝送装置が受信した前記監視信号光のパワーが、前記受信部により受信することが可能な光のパワーの最小値に近づくように前記減衰部の減衰量を制御することを特徴とする付記８に記載の伝送装置。
（付記１０）  前記制御部は、前記他の伝送装置が受信した前記監視信号光のパワーが、前記受信部の受光特性の仕様の範囲内で受信することが可能な光のパワーの最小値に近づくように前記減衰部の減衰量を制御することを特徴とする付記８に記載の伝送装置。
（付記１１）  前記減衰部は、前記合波部に入力される前記監視信号光を減衰させることを特徴とする付記８乃至１０の何れかに記載の伝送装置。
（付記１２）  前記制御部は、前記他の伝送装置が受信した前記監視信号光のパワーと前記目標値の差分が第１閾値以下である場合、または前記減衰量と前記減衰量の上限値の差分が第２閾値以下である場合、前記減衰部の減衰量の制御を停止することを特徴とする付記１１に記載の伝送装置。
（付記１３）  前記減衰部は、前記合波部から出力された前記監視信号光及び前記主信号光を減衰させることを特徴とする付記８乃至１０の何れかに記載の伝送装置。
（付記１４）  前記制御部は、前記他の伝送装置が受信した前記監視信号光のパワーと前記目標値の差分が第１閾値以下である場合、前記減衰量と前記減衰量の上限値の差分が第２閾値以下である場合、または前記他の伝送装置が受信した前記主信号光のパワーと前記主信号光のパワーの下限値の差分が第３閾値以下である場合、前記減衰部の減衰量の制御を停止することを特徴とする付記１３に記載の伝送装置。
（付記１５）  第１伝送装置から伝送路を介して第２伝送装置に主信号光を伝送する伝送方法において、
前記第１伝送装置は、
前記第１伝送装置及び前記第２伝送装置の監視制御に関する情報を含む監視信号光を出力し、
前記監視信号光を減衰部により減衰させ、
前記監視信号光を前記主信号光に合波し、
前記第２伝送装置は、
前記伝送路から入力された前記主信号光及び前記監視信号光を分波し、
前記監視信号光のパワーを第１検出部により検出し、
前記監視信号光を受信部により受信し、
前記第１検出部が検出した前記監視信号光のパワーを前記第１伝送装置に通知し、
前記第１伝送装置は、前記第２伝送装置から通知された前記監視信号光のパワーが所定の目標値に近づくように前記減衰部の減衰量を制御することを特徴とする伝送方法。
（付記１６）  前記第２伝送装置から通知された前記監視信号光のパワーが、前記受信部により受信することが可能な光のパワーの最小値に近づくように前記減衰部の減衰量を制御することを特徴とする付記１５に記載の伝送方法。
（付記１７）  前記第２伝送装置から通知された前記監視信号光のパワーが、前記受信部の受光特性の仕様の範囲内で受信することが可能な光のパワーの最小値に近づくように前記減衰部の減衰量を制御することを特徴とする付記１５に記載の伝送方法。
（付記１８）  前記減衰部は、前記主信号光に合波される前記監視信号光を減衰させることを特徴とする付記１５乃至１７の何れかに記載の伝送方法。
（付記１９）  前記第２伝送装置から通知された前記監視信号光のパワーと前記目標値の差分が第１閾値以下である場合、または前記減衰量と前記減衰量の上限値の差分が第２閾値以下である場合、前記減衰部の減衰量の制御を停止することを特徴とする付記１８に記載の伝送方法。
（付記２０）  前記減衰部は、合波された前記監視信号光及び前記主信号光を減衰させることを特徴とする付記１５乃至１７の何れかに記載の伝送方法。
【符号の説明】
【００８３】
１ａ，１ｂ      伝送装置
１０ａ，１０ｂ     ＦＰＧＡ
２０ａ，２０ｂ     ＳＦＰ
２１ａ，２１ｂ，２６ａ，２６ｂ   ＶＯＡ
２５ａ，２５ｂ     ＰＤ
３３ａ，３３ｂ，３４ａ，３４ｂ   フィルタ
９０，９１      伝送路
【図１】
2020053858.tif 000003
【図２】
2020053858.tif 000004
【図３】
2020053858.tif 000005
【図４】
2020053858.tif 000006
【図５】
2020053858.tif 000007
【図６】
2020053858.tif 000008
【図７】
2020053858.tif 000009
【図８】
2020053858.tif 000010